(57)【要約】【課題】高齢者等であっても安全にトレーニングを行うことができ、身体機能の向上を図ることができる振動トレーニング装置及びその使用方法を提供する。【解決手段】振動トレーニング装置１は、座席３０、及び、座席３０を支持する支持機構９を含む椅子ユニット３と、使用者が座席３０に座った状態で足を乗せる振動プレート４０、及び、振動プレート４０を振動させる振動発生器４１を含む振動発生ユニット４と、床面上に設置され、椅子ユニット３及び振動発生ユニット４が固定された支持ベース２と、を備える。【選択図】図１
2019042248.tif 000002
【特許請求の範囲】
【請求項１】
座席、及び、前記座席を支持する支持機構を含む椅子ユニットと、
使用者が前記座席に座った状態で足を乗せる振動プレート、及び、前記振動プレートを振動させる振動発生器を含む振動発生ユニットと、
床面上に設置され、前記椅子ユニット及び前記振動発生ユニットが固定された支持ベースと、を備える振動トレーニング装置。
【請求項２】
前記支持機構は、前記座席を昇降可能に支持する請求項１に記載の振動トレーニング装置。
【請求項３】
前記座席の昇降方向は、鉛直方向に対して傾斜しており、前記座席は、上方に向かうに連れて前記振動プレートから離れるように昇降する請求項２に記載の振動トレーニング装置。
【請求項４】
前記座席の昇降方向の傾斜角度は、２０°以上７０°以下である請求項３に記載の振動トレーニング装置。
【請求項５】
前記座席は、前記支持機構に鉛直軸周りに回転可能に支持されている請求項１から４のいずれかに記載の振動トレーニング装置。
【請求項６】
前記振動発生ユニット上に立設された支柱と、
前記支柱に支持されたハンドルと、をさらに備える請求項１から５のいずれかに記載の振動トレーニング装置。
【請求項７】
前記ハンドルは、前記支柱に水平軸周りに回転可能に支持されている請求項６に記載の振動トレーニング装置。
【請求項８】
前記支柱に設けられた操作部と、
前記支持機構を制御する制御部と、をさらに備え、
前記制御部は、使用者による前記操作部の操作に基づき、前記座席を昇降させる請求項２から７のいずれかに記載の振動トレーニング装置。
【請求項９】
前記制御部は、前記振動発生器の動作を制御しており、使用者による前記操作部の操作に基づき、前記振動プレートに与える振動の振幅及び周波数を調整する請求項８に記載の振動トレーニング装置。
【請求項１０】
使用者が前記座席に座るとともに、前記振動プレート上に足を乗せて体重をかけた状態で前記振動発生器により振動を発生させることにより、身体をトレーニングする請求項１から９のいずれかに記載の振動トレーニング装置の使用方法。
【発明の詳細な説明】
【技術分野】
【０００１】
本発明は、振動を与えて筋肉を刺激することにより、身体機能を向上する振動トレーニング装置及その使用方法に関し、特に、高齢者、リハビリ患者等が安全に使用することができる振動トレーニング装置及その使用方法に関する。
【背景技術】
【０００２】
日本では、医学の発展に伴い、健康寿命と平均寿命の差が広がっており、社会生活を快適に営むうえで必要な身体機能の向上は懸案事項となっている。そのような状況下で、アスリート、若年層、健常者を対象としたトレーニング装置は多数存在するものの、高齢者等を対象とした、安全に使用できるトレーニング装置の存在は少ない。
【０００３】
例えば、特許文献１には、高齢者等の下肢筋力を向上させ、自立歩行が可能な状態まで回復させる椅子型のトレーニング装置が開示されている。特許文献１のトレーニング装置は、椅子の着座部が前端部を支点として水平状態から後端部が上昇して傾斜状態となり、この傾斜状態で一定時間保持してから着座部が水平状態に戻る。これを１サイクルとした動作を複数サイクル繰り返すことで、使用者の下肢に負荷がかかり、着座したまま筋力強化のトレーニングを行うことができる。しかしながら、特許文献１のトレーニング装置では、着座部の後端部が上昇することで使用者は前傾姿勢となるため、前方に転倒するリスクが高まるが、その対策としては肘掛けしかないため、安全面で課題を有する。
【０００４】
また、近年は、振動により身体に刺激を与えることにより、筋力を向上させるトレーニング装置が提案されている。例えば、特許文献２には、使用者が振動プレート上に乗って立った状態で振動プレートにより振動が付与されるトレーニング装置が開示されている。このトレーニング装置は、使用者の要求に合わせて付与される振動周波数と変位量を調整することができる。しかしながら、特許文献２のトレーニング装置は、振動プレート上に立ってトレーニングを行うため、高齢者等は転倒や転落しやすく、たとえハンドルを握っていたとしても危険性が高い。また、立った状態では、振動が脳に伝わりやすく、軽い脳震盪を引き起こす原因になるが、その対策は何ら施されておらず、脳への振動の伝達を抑制するためには、足をうまく曲げてトレーニングを行う必要があるが、高齢者等にとっては難度が高い。このように、特許文献２のトレーニング装置は、安全面で課題を有するうえ、高齢者等には使い難いとの課題も有する。
【先行技術文献】
【特許文献】
【０００５】
【特許文献１】特開２００７−２１５８９４号公報
【特許文献２】特許第４５１９８４４号公報
【発明の概要】
【発明が解決しようとする課題】
【０００６】
本発明は、上記課題を解決するためになされたものであり、高齢者等であっても安全にトレーニングを行うことができ、身体機能の向上を図ることができる振動トレーニング装置及びその使用方法を提供する。
【課題を解決するための手段】
【０００７】
上記課題を解決する本発明の振動トレーニング装置は、座席、及び、前記座席を支持する支持機構を含む椅子ユニットと、使用者が前記座席に座った状態で足を乗せる振動プレート、及び、前記振動プレートを振動させる振動発生器を含む振動発生ユニットと、床面上に設置され、前記椅子ユニット及び前記振動発生ユニットが固定された支持ベースと、を備える。
【０００８】
本発明の好ましい実施形態の振動トレーニング装置においては、前記支持機構は、前記座席を昇降可能に支持する。より好ましい実施形態の振動トレーニング装置においては、前記座席の昇降方向は、鉛直方向に対して傾斜しており、前記座席は、上方に向かうに連れて前記振動プレートから離れるように昇降する。さらに好ましい実施形態の振動トレーニング装置においては、前記座席の昇降方向の傾斜角度は、２０°以上７０°以下である。
【０００９】
また、本発明の好ましい実施形態の振動トレーニング装置においては、前記座席は、前記支持機構に鉛直軸周りに回転可能に支持されている。
【００１０】
また、本発明の好ましい実施形態の振動トレーニング装置においては、前記振動発生ユニット上に立設された支柱と、前記支柱に支持されたハンドルと、をさらに備える。さらに好ましい実施形態の振動トレーニング装置においては、前記ハンドルは、前記支柱に水平軸周りに回転可能に支持されている。
【００１１】
また、本発明の好ましい実施形態の振動トレーニング装置においては、前記支柱に設けられた操作部と、前記支持機構を制御する制御部と、をさらに備え、前記制御部は、使用者による前記操作部の操作に基づき、前記座席を昇降させる。さらに好ましい実施形態の振動トレーニング装置においては、前記制御部は、前記振動発生器の動作を制御しており、使用者による前記操作部の操作に基づき、前記振動プレートに付与する振動の振幅及び周波数を調整する。
【００１２】
上記課題を解決する本発明の振動トレーニング装置の使用方法は、使用者が前記座席に座るとともに、前記振動プレート上に足を乗せて体重をかけた状態で前記振動発生器により振動を発生させることにより、身体をトレーニングする。
【発明の効果】
【００１３】
本発明によれば、使用者は、座席に座った状態で足を振動プレート上に乗せて、振動プレートに体重がかかる姿勢を維持することで、下肢に負荷がかかった状態で振動発生器からの振動が振動プレートを介して付与される。これにより、効果的に下肢筋肉等が刺激されるため、身体機能（例えば下肢筋力やバランス能力）の向上を図ることができる。また、座席に座りながらトレーニングを行うことができるので、振動プレート上からの転倒や転落を防止でき、さらに、腰や膝を曲げた状態で使用することにより振動の伝達が緩和されて、脳への振動伝達に伴う脳震盪等の危険性を回避することができるので、高齢者等であっても安全にトレーニングを行うことができる。
【００１４】
なお、本発明の振動トレーニング装置では、アスリート、若年層、健常者等も身体機能向上のトレーニングを行うことができる。
【図面の簡単な説明】
【００１５】
【図１】本発明の一実施形態にかかる振動トレーニング装置の側面図である。
【図２】椅子ユニットの支持機構の概略構成を示した振動トレーニング装置の側面図である。
【図３】振動発生器の斜視図である。
【図４】振動発生モジュールを拡大して示す斜視図である。
【図５】振動発生ユニット、支柱、ハンドル及び操作部の斜視図である。
【図６】振動トレーニング装置の機能を示す機能ブロック図である。
【図７】振動トレーニング装置の使用状態を示す側面図である。
【発明を実施するための形態】
【００１６】
以下、本発明の実施形態について、添付図面を参照して説明する。本発明の一実施形態に係る振動トレーニング装置１は、図１に示すように、支持ベース２と、椅子ユニット３と、振動発生ユニット４と、支柱５と、ハンドル６と、操作部７と、制御部８と、を備えている。なお、以下の説明においては、使用者が装置使用時に前を向く方向を前方側、その反対方向を後方側としている。
【００１７】
支持ベース２は、椅子ユニット３及び振動発生ユニット４を支持するものであり、支持ベース２の上側に、椅子ユニット３及び振動発生ユニット４が固定されている。支持ベース２の下側には、複数の脚部２０が設けられ、脚部２０を介して床面上に設置される。脚部２０には、周囲に伝わる振動を減衰するためのゴム足を設けてもよい。
【００１８】
次に、椅子ユニット３は、図１及び図２に示すように、支持ベース２の後方側に一体に設けられている。椅子ユニット３は、トレーニング時に使用者が着座する座席３０と、座席３０を支持する支持機構９とを含んでいる。
【００１９】
座席３０は、着座部３１と、使用者の後方への傾倒を防止する背もたれ部３２とを備えている。着座部３１からは軸部３３が下方に突き出ており、座席３０は軸部３３を中心に回転可能である。これにより、座席３０を左右に回転できるので、使用者がトレーニング時に座席３０を乗り降りし易くなっている。
【００２０】
支持機構９は、図２に示すように、座席３０を支持する支持体９０と、支持体９０を昇降動作させる昇降駆動機構９１と、支持体９０の昇降動作をガイドするガイドレール９２と、ガイドレール９２が固定された基台９３とを備えている。
【００２１】
支持体９０は、軸部３３を保持し、軸部３３を介して座席３０を回転可能に支持する。基台９３は、支持フレーム２上に固定されている。昇降駆動機構９１、ガイドレール９２及び基台９３等は、支持フレーム２上に取り付けられたハウジング９４内に格納されている。
【００２２】
昇降駆動機構９１は、本実施形態では、ねじ軸９１０、ナット９１１及びボール（図示せず）等を備えるボールねじで構成されている。ナット９１１は、接続板９５を介して支持体９０に接続されている。このボールねじは、モータ９６を駆動源とし、モータ９６の正逆回転をねじ軸方向の往復直線運動に変換して支持体９０に伝達し、これにより、支持体９０を昇降動作させる。モータ９６には、エンコーダ９７が取り付けられている。
【００２３】
ガイドレール９２は、基台９３に左右方向に間隔をあけて２つ設けられている。ガイドレール９２には、ガイドブロック９８がレール方向に間隔をあけて２つ、それぞれが摺動可能に取り付けられている。ガイドブロック９８は、接続板９９を介して支持体９０に接続されている。支持体９０には、左右一対の接続板９９が接続板９５を間に挟んで取り付けられている。ガイドレール９２は、レール方向に滑らかにガタツキなく支持体９０が昇降動作するよう補助する。
【００２４】
座席３０の昇降方向は、鉛直方向に対して傾斜しており、座席３０は、上方に向かうに連れて振動発生ユニット４の振動プレート４０から離れるように昇降する。本実施形態では、昇降駆動機構９１のボールねじのねじ軸９１０及びガイドレール９２が、上端部が下端部よりも上方かつ後方に位置するように斜め後方に倒れた状態で配置されており、座席３０は、ねじ軸９１０及びガイドレール９２の傾斜に沿って、図１に示すＸ方向に昇降する。これにより、座席３０の振動プレート４０からの高さｈ及び距離ｌが変化し、この高さｈ及び距離ｌに応じて座席３０に座った使用者の姿勢を制御することができる。座席３０に座って振動プレート４０上に配置されたマット４３上に足を乗せた使用者は、座席位置（座席３０の振動プレート４０からの高さｈ及び距離ｌ）で姿勢が変わり、これに伴い、足で振動プレート４０を押し付ける荷重が変わるため、下肢に作用する負荷の程度が調整される。座席３０の昇降方向の鉛直方向に対する傾斜角度θは、特に限定されるものではないが、好ましくは２０°以上７０°以下である。
【００２５】
なお、昇降駆動機構９１としては、支持体９０を昇降動作できるものであれば特に限定されるものではなく、ボールねじの他、ラック・ピニオン、シリンダー等で構成することができる。
【００２６】
次に、振動発生ユニット４は、図１に示すように、支持ベース２の前方側に一体に設けられている。振動発生ユニット４は、使用者が座席３０に座った状態で下肢を乗せる振動プレート４０と、振動プレート４０を振動させる振動発生器４１と、振動プレート４０を保持する保持部材４２とを含んでいる。
【００２７】
保持部材４２は、下面に凹所を有し、この凹所に振動プレート４０が嵌め込まれている。また、保持部材４２は、使用者が搭乗できる略矩形状の平坦なステップ面を上面に有しており、ステップ面には滑り止めとしてマット４３が配設されている。振動プレート４０の直下に振動発生器４１が配置され、振動発生器４１から発生した振動が振動プレート４０に伝わり、振動プレート４０上に配置されたマット４３を介して、マット４３上に乗せられた使用者の足に振動が付与される。
【００２８】
振動発生ユニット４には、使用者が座席３０に座って振動プレート４０に足を乗せて体重をかけた際に、振動プレート４０にかかる使用者の足の荷重（重量）を計測する荷重センサ１１（図６に示す）が設けられている。この荷重センサ１１は、例えばロードセルを用いることができる。荷重センサ１１により振動プレート４０にかかる使用者の足の荷重を計測することで、効果的なトレーニングを行うための必要な負荷が下肢に作用しているか否かを判断できる。荷重センサ１１は、振動プレート４０にかかる使用者の足の荷重を計測すると、後述する制御部８に出力する。
【００２９】
振動発生器４１は、ハウジング４４内に格納されている。ハウジング４４は、支持ベース２上に取り付けられ、ハウジング４４上に保持部材４２が敷設されている。
【００３０】
振動発生器４１は、図３及び図４に示すように、モータ４５を駆動源とし、モータ４５の回転を高速上下振動に変換するものである。振動発生器４１は、支持フレーム２上に固定されたモータ４５と、振動プレート４０下に固定された振動発生モジュール４６と、モータ４５のトルクを振動発生モジュール４６に伝達する伝達手段４７と、振動減衰手段４８とを備えたもので構成することができる。
【００３１】
振動発生モジュール４６は、図３及び図４に示すように、振動プレート４０に接続された２つの固定板４６０と、両固定板４６０に回転可能に支持された１つのプロペラシャフト４６１及び２つの回転シャフト４６２と、各回転シャフト４６２に固定されて一体に回転する第１の錘体４６３と、各回転シャフト４６２に回転可能に支持された第２の錘体４６４と、各回転シャフト４６２に一体回転可能に固定され第２の錘体４６４を回転駆動する駆動部材４６５とを備えている。第１の錘体４６３は例えば鉄製であり、第２の錘体４６４は例えばアルミニウム製である。各錘体４６３，４６４及び駆動部材４６５は、両固定板４６０の間に配置されている。プロペラシャフト４６１及び各回転シャフト４６２には、それぞれプーリ４７０，４７１が一体回転可能に固定されている。各プーリ４７０，４７１は、一方の固定板４６０の外側に配置され、両面に歯のあるタイミングベルト４７２で繋がれている。各プーリ４７０，４７１及びタイミングベルト４７２は、伝達手段４７を構成する。
【００３２】
この振動発生モジュール４６は、モータ４５の動力がプロペラシャフト４６１を介してプーリ４７０に伝えられてプーリ４７０が回転すると、タイミングベルト４７２の作用により他の２つのプーリ４７１が互いに逆方向に同期回転して、それぞれの回転シャフト４６２に固定された第１の錘体４６３が互いに逆方向に同期回転する。これにより、各第１の錘体４６３の横方向の遠心力が互いに打ち消されるため、偏芯モジュール４６及び偏芯モジュール４６が連結された振動プレート４０が主に鉛直方向に振動する。
【００３３】
また、振動発生モジュール４６は、第１の錘体４６３とともに、第２の錘体４６４を備えており、第２の錘体４６４は、第１の錘体４６３と異なり、一体回転するように回転シャフト４６２に固定されておらず、回転シャフト４６２に対して回転可能である。回転シャフト４６２の表面には突起状の駆動ピン（図示せず）が設けられ、この駆動ピンが駆動部材４６５にある凹部に係合することで、駆動部材４６５が回転シャフト４６２と一体回転可能となる。駆動部材４６５には樹脂カラー４６６がネジ止めで固定されており、駆動部材４６５の回転に合わせて樹脂カラー４６６が第２の錘体４６４に接触し、第２の錘体４６４を回転シャフト４６２の周方向に駆動する。これにより、第２の錘体４６４が回転することになる。ここで、回転シャフト４６２が一方向（図４のａ方向）に回転するときには、第２の錘体４６４の回転時の位置は、第１の錘体４６３とは１８０°反対側の位置に保持され、第１の錘体４６３の遠心力が低減されることで、鉛直方向の振動が弱められる。これに対して、回転シャフト４６２が逆方向（図４のｂ方向）に回転するときには、第２の錘体４６４の回転時の位置は、第１の錘体４６３と同じ位置に保持され、第１の錘体４６３の遠心力が増加されることで、鉛直方向の振動が強められる。よって、振動発生モジュール４６により、モータ４６の回転方向を変えることで、振動の大きさ（振幅）を２段階に調節することができる。
【００３４】
振動減衰手段４８は、図３に示すように、振動プレート４０及び振動プレート４０に固定された振動発生モジュール４６を常時、支持している。振動減衰手段４８は、振動プレート４０に連結された複数（本実施形態では４つ）の第１の弾性部材４８０と、支持ベース２に連結された複数（本実施形態では４つ）の第２の弾性部材４８１と、振動プレート４０及び支持ベース２の間に平行に配置され、第１の弾性部材４８０及び第２の弾性部材４８１がそれぞれ連結される中間部材４８２とを備えている。各弾性部材４８０，４８１は、特定のものに限定されるものではなく、例えば金属バネを用いることができる。中間部材４８２は、本実施形態では、２枚の直線状の板材で構成され、各板材により１組同士の第１の弾性部材４８０及び第２の弾性部材４８１が接続されているが、環状の板材により４つの第１の弾性部材４８０及び第２の弾性部材４８１が接続されていてもよい。
【００３５】
この振動減衰手段４８により、振動発生モジュール４６で発生した振動の装置本体への伝達が軽減され、装置全体あるいは床等の建物にダメージを与えることを防止することができる。なお、各弾性部材４８０，４８１に減衰性能を向上できる特殊シートを巻くことで、さらに共振現象の抑制を図ることができる。
【００３６】
なお、振動発生器４１としては、鉛直方向の振動を発生できるものであれば、特に限定されるものではなく、この種の装置に用いられる他の公知の振動発生器で構成することができる。
【００３７】
次に、支柱５は、図１、図２及び図５に示すように、保持部材４２の上面に立設されている。支柱５には、使用者がトレーニング中に把持可能なハンドル６が設けられている。また、支柱５の上端部には、操作部７が設けられている。
【００３８】
次に、ハンドル６は、図５に示すように、支柱５から左右に突き出る一対のＵ字型の棒状部の先端が連結された形状をなしており、水平軸Ｈ周りに回転可能に支柱５に支持されている。これにより、ハンドル６の角度を変化させることができ、このハンドル６の角度に応じて、座席３０に座った使用者の姿勢を制御することができる。座席３０に座ってハンドル６を把持した使用者は、ハンドル６の位置で姿勢が変わり、これに伴い、足で振動プレート４０を押し付ける荷重が変わるため、下肢に作用する負荷の程度が調整される。また、座席３０に座ってハンドル６を把持した状態でトレーニングするため、使用者、特に高齢者等が座席３０から転落、転倒することが防止される。なお、ハンドル６は、必ずしも角度が可変である必要はなく、支柱５に回転不能に固定され、使用者の前傾姿勢が維持できる形状であれば、その角度が不変であってもよい。また、ハンドル６の形状は、図示例の形状に限定されるものではなく、例えば支柱５から一対のＩ字型の棒状部が左右に突き出た形状をなしていてもよい。
【００３９】
次に、操作部７は、図５に示すように、使用者により操作される入力手段７０及び使用者に表示する表示手段７１を備えている。入力手段７０は、例えばボタンやスイッチで構成される。例えば、トレーニング（振動発生）を開始するスタートボタン、トレーニング（振動発生）を停止するストップボタン、座席３０を昇降させる昇降ボタン、トレーニングで付与される振動の振動条件（周波数及び振幅）を調節する調節ボタン、トレーニング時間を設定する設定ボタン等を装置に設けることができる。なお、振幅は、高又は低の２段階で調節することができ、周波数は、例えば、３０Ｈｚ、３５Ｈｚ又は４０Ｈｚの３段階で調節することができる。
【００４０】
また、入力手段７０として、トレーニングモードを選択する選択ボタンを装置に設けてもよい。トレーニングモードは、例えばバランス感覚や柔軟性等に関するトレーニング目的ごとに、振動条件（周波数及び振幅）、運動態様（間欠運動又は連続運動）、トレーニング時間等のトレーニング内容が予め設定されていて、この設定されたトレーニング内容でトレーニングを行うものである。なお、このトレーニングモードごとのトレーニング内容は、使用者ごとに異なるトレーニングデータを後述する制御部８の記憶部８１に記憶させることができる。
【００４１】
表示手段７１は、例えばＬＥＤ等のランプや液晶ディスプレイ等の画面で構成され、使用者が調節、設定、選択等した内容が表示される他、トレーニングの残り時間、荷重センサ１１により計測される座席３０に座った使用者の下肢に作用する負荷の状態（例えば、必要な負荷に対する現状の負荷の割合）等が表示される。使用者の座位姿勢によって必要な負荷が下肢に作用していない場合には、昇降ボタンを操作することで座席３０を上昇させて、使用者の姿勢をより前傾姿勢とすることで、使用者の下肢に作用する負荷を大きくすることができる。なお、操作部７の各種ボタン及び表示手段は、タッチパネルやタブレット等で構成してもよい。
【００４２】
次に、制御部８は、図７に示すように、処理部８０、記憶部８１及び計時部（タイマー）８２等を備え、装置全体の動作を制御する。例えば、制御部８は、振動発生器４１を制御し、操作部７により使用者が設定した振動条件（周波数及び振幅）の振動を発生させる。また、制御部８は、昇降駆動機構９１を制御し、使用者による操作部７の操作に基づき座席３０を移動させることで、座席位置を所定位置に調整する。
【００４３】
処理部８０は、プロセッサ（ＣＰＵ）により構成される。記憶部８１は、処理部８０の各種処理の作業領域に使用する読み出し及び書き込み可能メモリ（ＲＡＭ）、コンピュータプログラム及び各種データを記憶する読み出し専用メモリ（ＲＯＭ）等により構成される。計時部８２は、装置によるトレーニングを開始したときに計時を開始し、トレーニング時間を計測する。制御部８は、例えば制御基板（図示せず）に実装される等して装置に設けられている。
【００４４】
制御部８には、操作部７（入力手段７０及び表示手段７１）、荷重センサ１１、振動用モータドライバ回路１２、昇降用モータドライバ回路１３等が接続されている。振動用モータドライバ回路１２には、モータ４５が接続され、昇降用モータドライバ回路１３には、モータ９６及びエンコーダ９７が接続されている。操作部７の入力手段７０は、使用者により操作されると、操作信号を制御部８に出力する。制御部８は、受け付けた操作信号に基づいて、振動用モータドライバ回路１２及び昇降用モータドライバ回路１３を制御するとともに、操作部７の表示手段７１の動作を制御する。振動用モータドライバ回路１２は、制御部８からの制御信号に従ってモータ４５を動作させて、所定の振動条件（周波数及び振幅）の振動を振動発生器４１から発生させる。昇降用モータドライバ回路１３は、制御部８からの制御信号に従ってモータ９６を動作させて、座席３０を所定の座席位置に移動させる。
【００４５】
次に、上記構成の振動トレーニング装置１の使用方法について説明する。まず、使用者は、図７に示すように、座席３０に座り、足をマット４３（振動プレート４０）上に乗せる。また、ハンドル６を回転させて前傾姿勢が維持できる角度に調整する。そして、操作部７の表示手段７１に表示された使用者の下肢に作用する負荷の状態を参考に、必要な負荷が下肢に作用していない場合には、操作部７の入力手段７０（昇降ボタン）を操作して座席３０を昇降させて、座席位置を必要な負荷が下肢に作用する位置に調整する。これにより、効果的なトレーニングを行うことが可能となる。そして、使用者は操作部７の入力手段７０（調節ボタン、設定ボタン、選択ボタン等）を操作して、振動発生器４１により発生させる振動の条件（振幅及び周波数）を設定し、入力手段７０（スタートボタン）を操作して振動を発生させる。これにより、使用者に足を通じて振動が付与され、効果的に下肢筋肉等が刺激されることで、身体機能（例えばバランス感覚や柔軟性等）への好影響が期待できる。
【００４６】
上記構成の振動トレーニング装置１によれば、座席３０に座りながらトレーニングを行うことができるので、振動プレート４０上からの転倒や転落、また、脳への振動伝達に伴う脳震盪等の危険性を回避することができる。よって、高齢者等であっても安全にトレーニングを行うことができる。
【００４７】
また、使用者の身長や身体の状態に合わせて座席３０を昇降させることで、座席位置（座席３０の振動プレート４０からの高さｈ及び距離ｌ）を最適な位置に調整することができ、これにより、効果的な負荷を使用者の下肢に作用させた状態でトレーニングを行うことができる。
【００４８】
以上、本発明の一実施形態について説明したが、本発明はこの実施形態に限定されるものではなく、その趣旨を逸脱しない限りにおいて、種々の変更が可能である。
【００４９】
例えば、上記実施形態では、座席３０の昇降方向は、鉛直方向に対して傾斜しているが、座席３０は鉛直方向に昇降してもよい。また、座席３０は、必ずしも昇降する必要はなく、支持機構９に昇降不能に支持されていてもよい。
【００５０】
また、上記実施形態において、操作部７が使用者情報（身長、体重等）を入力できる入力ボタンを備えており、入力された使用者情報に基づいて、制御部８が自動的に座席３０を昇降させて、座席位置を必要な負荷が下肢に作用する最適位置に調整してもよい。この場合、制御部８は、入力されたトレーニングモードをさらに参考にして座席位置の調整をしてもよい。
【００５１】
また、上記実施形態において、操作部７が各使用者に固有のＩＤを入力できる入力ボタンを備えるとともに、ＩＤごとに身長、体重、トレーニングモード等の使用者情報が関連付けされているデータベースを備える外部コンピュータ（図示せず）に、制御部８をネットワークを介して接続する。そして、操作部７により入力されたＩＤをもとに制御部８が当該ＩＤに関連付けられた使用者情報を外部コンピュータから取得することで、この使用者情報に基づいて、制御部８が自動的に座席３０を昇降させて、座席位置を最適位置に調整するとともに、所定の振動条件（振幅及び周波数）による振動を発生させて、所望のトレーニングを行わせるようにしてもよい。また、使用者情報の特定は、指紋認証や顔認証等の方法を用いてもよい。
【符号の説明】
【００５２】
１      振動トレーニング装置
２      支持ベース
３      椅子ユニット
４      振動発生ユニット
５      支柱
６      ハンドル
７      操作部
８      制御部
９      支持機構
３０    座席
４０    振動プレート
４１    振動発生器
【図１】
2019042248.tif 000003
【図２】
2019042248.tif 000004
【図３】
2019042248.tif 000005
【図４】
2019042248.tif 000006
【図５】
2019042248.tif 000007
【図６】
2019042248.tif 000008
【図７】
2019042248.tif 000009